(57)【要約】【課題】活電挿抜時のデータ保護機能を持たないメモリカードが挿脱されるカードスロットを開閉する電池蓋がスライドされただけで開放されていないときに、電源オフ処理が行なわれないようにする。【解決手段】電池蓋２１は、（Ａ）に示す係止位置にあるときにカメラ本体３に係止してカードスロット等を保護する。（Ｂ）に示す閉じ位置にスライドするとカメラ本体３に対する係止が解除されて回動可能となり、（Ｃ）に示す開放位置に回動するとカードスロット等が開放される。蓋検出レバー４２は、係止位置及び閉じ位置にあるときに、検出子４３ａを押圧して蓋検出スイッチ４３をオンさせ、開放位置に回動されたときに検出子４３ａの押圧を解除して蓋検出スイッチ４３をオフさせる。デジタルカメラは、蓋検出スイッチ４３がオフするとき、すなわち電池蓋２１が開放位置に回動するときに電源オフ処理を行なう。【選択図】図３
2008135960.tif 000002
【特許請求の範囲】
【請求項１】
カメラ本体に設けられ、活電挿抜時のデータ保護機能を有していない記録メディアが挿抜されるメディアスロットと、
前記メディアスロットを開放する開放位置と、前記メディアスロットを閉じる閉じ位置との間で回動自在とされ、かつ前記閉じ位置と、前記閉じ位置と同一面上で前記回動を禁止する係止位置との間でスライド自在とされた蓋と、
前記蓋が閉じ位置または係止位置にあることを検出する蓋検出手段と、
前記蓋検出手段によって蓋が検出されないときに、前記カメラ本体の電源をオフする電源制御手段を備えることを特徴とするデジタルカメラ。
【請求項２】
前記蓋の近傍に設けられ、三脚が取り付けられる三脚取付部と、
前記三脚取付部に前記三脚が取り付けられたことを検出する三脚検出手段を設け、
前記電源制御手段は、前記三脚検出手段によって前記三脚が検出されているときには、前記蓋検出手段によって前記蓋が検出されない場合であっても電源をオン状態で維持することを特徴とする請求項１記載のデジタルカメラ。
【請求項３】
前記蓋と前記三脚取付部は、同一面上に配置されており、前記蓋の端縁と前記三脚取付部の中心との最短距離が１２ｍｍ以下であることを特徴とする請求項２記載のデジタルカメラ。
【請求項４】
前記蓋及び前記三脚取付部は、前記カメラ本体の底面に配置されており、前記閉じ位置及び係止位置は、前記カメラ本体の前後方向に設けられていることを特徴とする請求項３記載のデジタルカメラ。
【請求項５】
前記蓋検出手段は、第１の位置と第２の位置の間で移動自在な検出子を有する検出スイッチであり、
前記蓋は、前記閉じ位置または係止位置にあるときに前記検出子を第１の位置に移動させ、前記開放位置に回動するときに前記検出子を第２の位置に移動させる作用部を有することを特徴とする請求項１〜４いずれか記載のデジタルカメラ。
【請求項６】
前記メディアスロットの近傍に電池室が配置され、前記蓋は前記メディアスロットとともに前記電池室を開閉することを特徴とする請求項１〜５いずれか記載のデジタルカメラ。
【請求項７】
活電挿抜時のデータ保護機能を有していない記録メディアが挿抜されるメディアスロットを開閉する蓋が、前記メディアスロットを閉じる閉じ位置から、前記メディアスロットを開放する開放位置に回動されたことを検出してデジタルカメラの電源をオフし、
前記蓋が、前記閉じ位置と、前記閉じ位置と同一面上で前記回動を禁止する係止位置との間でスライドされたときには、前記デジタルカメラの電源をオン状態で維持することを特徴とするデジタルカメラの電源制御方法。
【請求項８】
前記蓋の近傍に設けられた三脚取付部に三脚が取り付けられたことを検出し、前記蓋が前記閉じ位置から前記開放位置に回動されたときに前記デジタルカメラの電源をオン状態で維持することを特徴とする請求項７記載のデジタルカメラの電源制御方法。
【発明の詳細な説明】
【技術分野】
【０００１】
本発明は、デジタルカメラ及びデジタルカメラの電源制御方法に関し、更に詳しくは、記録メディアがセットされるメディアスロットや電池室等を保護する蓋が開放されたときに電源をオフするデジタルカメラ及びデジタルカメラの電源制御方法の改良に関する。
【背景技術】
【０００２】
ＣＣＤイメージセンサ等の撮像素子を使用して被写体を撮像し、画像を得るデジタルカメラが普及している。このデジタルカメラでは、画像をデジタルデータによって表す画像データの記録に、メモリカード等の記録メディアを用いている。メモリカードは、その外表面に金属端子を有しており、メモリカードスロットに挿入するとスロット内に設けられた接点部と接触し、デジタルカメラと電気的に接続される。
【０００３】
メモリカードスロットは、メモリカードの脱落や塵芥の浸入等を防止するため、開閉自在な蓋によって保護されている。また、デジタルカメラに設けられる蓋の数を少なくするために、電池が収納される電池室の電池蓋と兼用されているものが多い。
【０００４】
上記電池蓋として、スライド操作と回動操作とを組み合わせたものが知られている（例えば、特許文献１参照）。この電池蓋は、電池室を開放する開放位置と、電池室を閉じる閉じ位置の間で回動自在とされ、かつ閉じ位置と、この閉じ位置と同一面上の係止位置との間でスライド自在とされており、係止位置にスライドされたときに電池蓋の回動が禁止される。
【０００５】
また、メモリカードの中には、デジタルカメラの動作中に抜き差し（いわゆる、活電挿抜）されると、メモリカードに対して読み書き中の画像データが消失するものがある（例えば、xDピクチャーカード）。これを防止するため、従来のデジタルカメラでは、電池蓋が開放されたときに画像データが消失しないように電源オフ処理を行なって読み書き中の画像データを保護している。また、上記スライド操作と回動操作とを組み合わせた電池蓋を用いるデジタルカメラでは、この保護を確実に行なうために、係止位置から閉じ位置にスライドされたときに、電源オフ動作を行なう。
【０００６】
上記電池蓋は、デジタルカメラの外観品質向上のため、カメラ本体の底面に設けられている。また、カメラ本体の底面には、デジタルカメラを三脚等に取り付ける三脚取付部が設けられているが、近年のデジタルカメラは小型化されているので、三脚取付部と電池蓋は近接して配置されている。一般的な三脚の雲台は、三脚取付部に取り付けられたときに電池蓋に当接する大きさを有しているため、三脚が取り付けられた状態で電池蓋が開放位置に回動することはない。
【特許文献１】特開２００３−１４２８４１号公報
【発明の開示】
【発明が解決しようとする課題】
【０００７】
しかし、デジタルカメラを雲台に取り付ける際に、雲台と電池蓋とが接触した状態で両者を相対的に回転させることがあり、このときに電池蓋が係止位置から閉じ位置にスライドしてデジタルカメラの電源がオフすることがある。三脚取付時の電池蓋のスライドは、雲台によって見えにくいため、デジタルカメラの操作に詳しくないユーザには、デジタルカメラの電源が入らない原因が分らないという問題がある。
【０００８】
上記問題を解決するために、電池蓋を係止位置でロックするロック機構を設け、係止位置から閉じ位置へとスライドさせる際に前記ロックを解除させることも考えられる。しかし、このロック機構によりコストがアップし、小型化を阻害するという問題がある。
【０００９】
本発明は、上記問題を解決するために、電池蓋が係止位置と閉じ位置の間でスライドされただけでは電源オフ処理が行なわれないデジタルカメラ及びデジタルカメラの電源制御方法を提供する。
【課題を解決するための手段】
【００１０】
上記課題を解決するために本発明のデジタルカメラは、カメラ本体に設けられ、活電挿抜時の画像データの保護機能を有していない記録メディアが挿脱されるメディアスロットと、メディアスロットを開放する開放位置と、メディアスロットを閉じる閉じ位置との間で回動自在とされ、かつ閉じ位置と、閉じ位置で回動を禁止する係止位置との間でスライド自在とされた蓋と、蓋が閉じ位置または係止位置にあることを検出する蓋検出手段と、蓋検出手段によって蓋が検出されないときに、カメラ本体の電源をオフする電源制御手段を備えるものである。
【００１１】
また、蓋の近傍に設けられて三脚が取り付けられる三脚取付部と、三脚取付部に三脚が取り付けられたことを検出する三脚検出手段を設け、電源制御手段は、三脚検出手段によって三脚が検出されているときには、蓋検出手段によって蓋が検出されない場合であっても電源をオン状態で維持するようにしたものである。
【００１２】
更に、蓋と三脚取付部を同一面上に配置し、蓋の端縁と三脚取付部の中心との最短距離が１２ｍｍ以下になるように配置することが好ましい。
【００１３】
また、蓋及び三脚取付部をカメラ本体の底面に配置し、閉じ位置及び係止位置は、カメラ本体の前後方向に設けるようにしたものである。
【００１４】
更に、蓋検出手段は、第１の位置と第２の位置の間で移動自在な検出子を有する検出スイッチであり、蓋には、閉じ位置または係止位置にあるときに検出子を第１の位置に移動させ、開放位置に回動するときに検出子を第２の位置に移動させる作用部を設けたものである。
【００１５】
また、メディアスロットの近傍に電池室が配置されている場合には、蓋によってメディアスロットと電池室をともに開閉することが好ましい。
【００１６】
また、本発明のデジタルカメラの電源制御方法は、活電挿抜時の画像データの保護機能を有していない記録メディアが挿脱されるメディアスロットを開閉する蓋が、メディアスロットを閉じる閉じ位置から、開放する開放位置に回動されたことを検出してデジタルカメラの電源をオフし、蓋が閉じ位置と、閉じ位置で回動を禁止する係止位置との間でスライドされたときにデジタルカメラの電源をオン状態で維持するようにしたものである。
【００１７】
また、蓋の近傍に設けられた三脚取付部に三脚が取り付けられたことを検出し、このときには、蓋が閉じ位置から開放位置に回動されてもデジタルカメラの電源をオン状態で維持するようにしたものである。
【発明の効果】
【００１８】
本発明によれば、スライド操作と回動操作とを併用した蓋が係止位置から閉じ位置にスライドされても電源オフ処理を行なわないので、デジタルカメラの操作に不慣れなユーザが電源オフの原因を特定できずに操作不能となることはない。また、蓋が開放位置に回動されたときには電源オフ処理が実行されるので、記録メディアや電池の活電挿抜を防止することができる。
【００１９】
また、三脚が取り付けられているときには、蓋が開放位置に回動されても電源オフ処理を行なわないので、小形三脚の使用時でも、デジタルカメラの操作に不慣れなユーザが電源オフの原因を特定できずに操作不能となることはない。
【００２０】
また、蓋と三脚取付部を同一面上に配置し、蓋の端縁と三脚取付部の中心との最短距離を１２ｍｍ以下にしているので、小形三脚の使用時でも雲台が蓋に接触して開放位置に回動するのを防止することができる。
【発明を実施するための最良の形態】
【００２１】
図１（Ａ）に示す本発明のデジタルカメラ２は、カメラ本体３の前面３ａの中央にレンズ鏡筒４が配置されている。このレンズ鏡筒４内には、撮影レンズ５と、絞りやシャッタ機構等が組みこまれている。前面３ａの右上部には、撮影時に被写体に向けて光を照射するフラッシュ発光部６が設けられている。
【００２２】
カメラ本体３の上面３ｂには、電源ボタン９、モードダイヤル１０、レリーズボタン１１等が配置されている。電源ボタン９は、例えば、押圧式の操作ボタンであり、デジタルカメラ２の電源のオン／オフを切り替える。モードダイヤル１０は、回転式の操作ダイヤルであり、撮影を行なう撮影モード、撮影済みの画像を再生する再生モード等の動作モードの切り替えに用いられる。レリーズボタン１１は、押圧式の操作ボタンであり、撮影時に操作される。
【００２３】
図１（Ｂ）に示すように、デジタルカメラ２の背面３ｃには、液晶モニタ１４、ズームボタン１５、十字ボタン１６、メニューボタン１７等が設けられている。液晶モニタ１４は、撮影時のスルー画像や、撮影済みの再生画像、各種設定メニュー等を表示する。ズームボタン１５は、左右に並んで配置された一対の押圧式操作ボタンであり、ズーム操作に用いられる。十字ボタン１６は、円環状の操作部材の上下左右方向を押圧操作できるようにした操作ボタンであり、各種設定時の項目選択等に用いられる。メニューボタン１７は、十字ボタン１６の内側に設けられた押圧式の操作ボタンであり、設定メニューの呼び出しや、設定時のＯＫボタンとして用いられる。
【００２４】
カメラ本体３の底面３ｄには、三脚が取り付けられる三脚取付部である三脚用ネジ穴２０と、長方形の板状に形成された電池蓋２１とが設けられている。三脚用ネジ穴２０は、「ＪＩＳ  Ｂ  ７１０３：カメラの三脚取付部」で規定されている１／４インチサイズのネジ穴である。
【００２５】
図２に示すように、電池蓋２１を開放するとその奥には、電池２４が収納される電池室２５と、記録メディアであるメモリカード２６がセットされるカードスロット２７とが設けられている。なお、詳しくは図示しないが、電池室２５とカードスロット２７には、収納された電池２４とメモリカード２６を保持する保持機構が設けられているので、電池蓋２１が開放された状態で底面３ｄが下方に向けられても、電池２４とメモリカード２６が脱落することはない。
【００２６】
メモリカード２６は、例えばｘＤピクチャーカードである。このｘＤピクチャーカードは、デジタルカメラ３の動作中に抜き差し（いわゆる、活電挿抜）されたときに、メモリカードに対して読み書き中の画像データを保護する機能が設けられていない。そのため、読み書き中の画像データが消失することがある。
【００２７】
電池蓋２１の内面で、かつ一方の長辺２１ａの両端には、一対の軸着部３０が形成されている。図３（Ａ）に示すように、軸着部３０の外側には、略円柱状の支持軸３１が立設されている。電池蓋２１は、これらの支持軸３１がカメラ本体３内に設けられた長穴３２に挿入されることでカメラ本体３に装着される。長穴３２はカメラ本体３の前後方向に沿って形成されており、電池蓋２１は、同図（Ａ）に示す係止位置と、同図（Ｂ）に示す閉じ位置との間でスライド自在とされ、この閉じ位置と同図（Ｃ）に示す開放位置の間で回動自在となる。
【００２８】
電池蓋２１の内面で、かつ他方の長辺２１ｂ側の両端縁には、外側に突出された突起３５を有する被係止部３６が設けられている。また、カメラ本体３内には、突起３５を係止するスリット３７が形成された係止部材３８が設けられている。図３（Ｂ）に示すように、電池蓋２１が開放位置から閉じ位置に回動されると、被係止部３６は係止部材３８に設けられた切欠部３８ａに挿入される。そして、同図（Ａ）に示すように、電池蓋２１が閉じ位置から係止位置にスライドされると突起３５がスリット３７に挿入されるので、電池蓋２１は回動が禁止される。
【００２９】
電池室２５の側方には、カメラ本体３内に通じる長穴４１が形成されている。また、電池蓋２１の内面で長穴４１に対面する位置には、略Ｌ字状の蓋検出レバー４２が設けられている。蓋検出レバー４２の外側には、補強用のリブ４２ａが形成されている。長穴４１の奥には、電池蓋２１を検出する蓋検出スイッチ４３が配置されている。この蓋検出レバー４２と蓋検出スイッチ４３により、本発明の蓋検出手段が構成される。
【００３０】
図３（Ａ）に示すように、電池蓋２１が係止位置にあるときには、蓋検出レバー４２が長穴４１に挿入され、その先端４２ｂで蓋検出スイッチ４３の検出子４３ａを押圧して揺動させる。これにより、蓋検出スイッチ４３がオンして電池蓋２１が検出される。また、同図（Ｂ）に示すように、電池蓋２１が閉じ位置にスライドされても蓋検出レバー４２は検出子４３ａを揺動を継続するので、蓋検出スイッチ４３は、電池蓋２１の検出を維持する。次いで、電池蓋２１が開放位置に回動されると、蓋検出レバー４２が長穴４１の外に移動して検出子４３ａから離れるので、蓋検出スイッチ４３による電池蓋２１の検出が終了する。
【００３１】
図４に示すように、デジタルカメラ２の構成を大別すると、撮像部４５、信号処理部４６、表示部４７、記録部４８、操作部４９、制御部５０、電源部５１、蓋検出スイッチ４３等から構成されている。
【００３２】
撮像部４５は、撮影レンズ５や撮像素子等を含み、撮像した撮像信号を信号処理部４６に出力する。信号処理部４６は、撮像部４５から入力された撮像信号に各種変換処理、補正処理を施して画像データを生成する。表示部４７は、上述の液晶モニタ１４やこの液晶モニタ１４のドライバ回路を含み、信号処理部４６で生成された画像データを液晶モニタ１４に表示する。
【００３３】
記録部４８は、メモリカード２６と、メモリカード２６に画像データを読み書きするメディアコントローラ５４から構成されている。操作部４９は、電源ボタン９やモードダイヤル１０等の各種操作部材からなり、制御部５０に操作信号を入力する。制御部５０は、ＣＰＵや制御プログラムが記録されたＲＯＭ，各種データの一時記録に利用されるＲＡＭ等から構成されており、デジタルカメラ２の各部を制御する。電源部５１は、デジタルカメラ２の電源を制御する電源制御回路５５と、電池２４から構成されており、各部に給電を行なう。本発明の電源制御手段は、制御部５０及び電源部５１によって構成される。
【００３４】
前述の蓋検出スイッチ４３は、制御部５０に接続されている。制御部５０は、蓋検出スイッチ４３によって電池蓋２１が検出されなくなったとき、すなわち電池蓋２１が開放位置に回動されたときに、電源制御回路５５を制御して電源オフ処理を実行させる。これにより、メモリカード２６や電池２４が活電挿抜されるのを防止することができるので、メモリカード２６に対して読み書き中の画像データが消失することはない。
【００３５】
次に上記実施形態の作用について、図５のフローチャートを参照しながら説明する。電源ボタン９を操作すると、電源制御回路５５が各部に給電を開始する。制御部５０は、モードダイヤル１０の設定を確認し、撮影モードまたは再生モードでデジタルカメラ２を起動する。撮影モードで起動された場合、撮像部４５による撮像が開始され、液晶モニタ１４にはスルー画が表示される。また、再生モードで起動された場合には、最も近時に撮影された画像が液晶モニタ１４に再生表示される。
【００３６】
デジタルカメラ２の電源をオンしてから三脚に取り付け、撮影を行なう場合がある。図６に示すように、三脚６０は、接地される三本の脚部６１と、この脚部６１の上方に配置されてデジタルカメラ２が固定される雲台６２と、この雲台６２を揺動自在に保持する揺動部６３を備えている。雲台６２には、デジタルカメラ２の三脚用ネジ穴２０に螺合される固定ネジ６４が回転自在に設けられている。
【００３７】
電池蓋２１と三脚用ネジ穴２０は近接して配置されているため、三脚６０にデジタルカメラ２を固定する際に、雲台６２の上面が電池蓋２１に摺接する。電池蓋２１は、デジタルカメラ２の前後方向にスライド自在に設けているので、スライド代が比較的短い。そのため、図７に示すように、三脚６０に取り付けられたデジタルカメラ２の電池蓋２１が、雲台６２との摺接により係止位置から閉じ位置にスライドすることがある。しかし、本実施形態のデジタルカメラ２では、図３（Ｂ）に示すように、電池蓋２１が閉じ位置にスライドしても蓋検出スイッチ４３がオフされないので、電源オフ処理は実行されない。
【００３８】
これにより、デジタルカメラ２の操作に不慣れなユーザが電源オフの原因を特定できずに操作不能となる問題は発生しない。また、電池蓋２１が開放位置に回動されたときには電源オフ処理が実行されるので、活電挿抜による画像データの消失を防止することができる。
【００３９】
なお、上記実施形態では、検出子４３ａが揺動する蓋検出スイッチ４３を用いたが、検出子がスイッチ本体内に挿入される押圧式のスイッチを用いてもい。
【００４０】
また、三脚には、１眼レフカメラ等の大型カメラまで保持できるようにした一般的なものや、コンパクトカメラに特化した小形のもの等があるが、この小形三脚の雲台は一般的な三脚に比べてサイズが小さい。そのため、三脚にデジタルカメラ２を取り付けた状態で、雲台が電池蓋２１に接触せず、電池蓋２１が閉じ位置から開放位置に回動して、電源オフ処理が実行されることがある。
【００４１】
上記問題を解決するために、例えば、デジタルカメラ２が三脚に取り付けられているときに、電池蓋２１が開放位置に回動されても電源オフ処理を実行しないようにしてもよい。具体的には、図８（Ａ）に示すように、内部に設けられた三脚用ネジ穴２０が開口３ｅに対面するようにカメラ本体３内に配置される三脚取付部材７０の上部に、三脚用ネジ穴２０内に通じる開口７１を形成し、この開口７１から検出子７２が三脚用ネジ穴２０内に突出するように、三脚取付部材７０の上部に押圧式の三脚検出スイッチ７３を取り付ける。同図（Ｂ）に示すように、三脚用ネジ穴２０に三脚６０の固定ネジ６４が螺合されると、固定ネジ６４の先端によって検出子７２が押圧され、三脚検出スイッチ７３がオンする。
【００４２】
図９には、図４に示すデジタルカメラ２のうち、電源制御に関連する構成だけを記載している。上述の三脚検出スイッチ７３は、蓋検出スイッチ４３とともに制御部５０に接続している。
【００４３】
図１０に示すように、制御部５０は、蓋検出スイッチ４３によって電池蓋２１が検出されなくなったとき、すなわち開放位置に回動しているときに三脚検出スイッチ７３の状態を参照する。そして、三脚検出スイッチ７３によって三脚６０が検出された場合には、電池蓋２１が開放位置に回動されていても、デジタルカメラ２を電源オン状態で維持する。これにより、デジタルカメラ２の操作に不慣れなユーザが電源オフの原因を特定できずに操作不能となる問題は発生しない。また、デジタルカメラ２が三脚６０に取り付けられていないときには、電池蓋２１が開放位置に回動されたときに電源オフ処理が実行されるので、活電挿抜による画像データの消失を防止することができる。
【００４４】
また、三脚取付時に電池蓋２１が開放位置に回動するのを防止するために、三脚用ネジ穴２０と電池蓋２１との距離が所定距離以下になるように配置してもよい。図１１に示すように、三脚用ネジ穴２０の直径ｄは、およそ６．４ｍｍ程度であり、小形三脚の雲台８０の直径Ｄは、小さいものでおよそ２０ｍｍ程度である。そこで、三脚用ネジ穴２０の中心と、電池蓋２１の端縁との距離Ｌを例えば１２ｍｍ以下にすることで、小形三脚を使用した場合でも、電池蓋２１が開放位置に回動するのを防止することができる。距離Ｌは、１２ｍｍ以下としたが、より好ましくは１０ｍｍ以下である。
【００４５】
なお、上記実施形態では、電池室２５及びカードスロット２７を開閉する電池蓋２１を例に説明したが、各種端子や、機能拡張カード等の蓋の開閉にも利用することができる。また、デジタルカメラを例に説明したが、銀塩カメラや、ビデオカメラ、各種電子機器にも適用可能である。
【図面の簡単な説明】
【００４６】
【図１】本発明のデジタルカメラの構成を示す外観形状を示す斜視図である。
【図２】電池蓋の開放状態を示す斜視図である。
【図３】電池蓋の係止位置から開放位置の移動を示す断面図である。
【図４】デジタルカメラの構成を示すブロック図である。
【図５】電池蓋の開放による電源オフ処理の手順を示すフローチャートである。
【図６】デジタルカメラが取り付けられる三脚の外観形状を示す斜視図である。
【図７】三脚への取付時に電池蓋が閉じ位置にある状態を示す外観斜視図である。
【図８】三脚検出スイッチを設けた三脚用ネジ穴の断面図である。
【図９】電池蓋による電源オフ処理に関連する部分の別の実施形態を示すブロック図である。
【図１０】三脚検出時の電源オフ処理の手順を示すフローチャートである。
【図１１】三脚用ネジ穴と電池蓋の配置例を示す底面図である。
【符号の説明】
【００４７】
２  デジタルカメラ
３  カメラ本体
２０  三脚用ネジ穴
２１  電池蓋
２４  電池
２５  電池室
２６  メモリカード
２７  カードスロット
４２  蓋検出レバー
４３  蓋検出スイッチ
５０  制御部
５１  電源部
５５  電源制御回路
６０  三脚
６２  雲台
７３  三脚検出スイッチ
【図１】
2008135960.tif 000003
【図２】
2008135960.tif 000004
【図３】
2008135960.tif 000005
【図４】
2008135960.tif 000006
【図５】
2008135960.tif 000007
【図６】
2008135960.tif 000008
【図７】
2008135960.tif 000009
【図８】
2008135960.tif 000010
【図９】
2008135960.tif 000011
【図１０】
2008135960.tif 000012
【図１１】
2008135960.tif 000013